(57)【要約】【課題】  持ち易い形状であるとともに、手袋などの小物を確実に保持しておくことができ、しかも、愛嬌があって親しみ易い優れた意匠性をも備えた銜え機能を有する傘の変わり把手を提供すること。【解決手段】  傘またはステッキの把手部に配設され、かつ、動物の頭首部を擬して作成された頭首型把手１であって、この頭首型把手１における口顎該当部位にはクリップ片２が配設されており、このクリップ片２の口顎部21を開閉可能に構成して、かつ、この口顎部21に閉口方向への付勢力を与える一方、前記頭首型把手１の顎下部11ないし喉元部12の起伏形状をトリガー22として前記口顎部21を開閉操作することによって、前記口顎部21にクリップ式の銜え機能を付与するという技術的手段を採用した。【選択図】  図１
0003107082.tif 000002
【実用新案登録請求の範囲】
【請求項１】
傘またはステッキの把手部に配設され、かつ、動物の頭首部を擬して作成された頭首型把手１であって、この頭首型把手１における口顎該当部位にはクリップ片２が配設されており、このクリップ片２の口顎部21を開閉可能に構成して、かつ、この口顎部21に閉口方向への付勢力を与える一方、
前記頭首型把手１の顎下部11ないし喉元部12の起伏形状をトリガー22として前記口顎部21を開閉操作することによって、前記口顎部21にクリップ式の銜え機能を付与したことを特徴とする銜え機能を有する傘の変わり把手。
【請求項２】
クリップ片２のトリガー22が弾性バネ部材を内装したベルクランク構造から成ることを特徴とする請求項１記載の銜え機能を有する傘の変わり把手。
【請求項３】
頭首型把手１が木製彫刻であることを特徴とする請求項１または２記載の銜え機能を有する傘の変わり把手。
【請求項４】
頭首型把手１がプラスチック成形されていることを特徴とする請求項１または２記載の銜え機能を有する傘の変わり把手。
【考案の詳細な説明】
【技術分野】
【０００１】
本考案は、傘などの把手部材の改良、更に詳しくは、持ち易い形状であると共に、手袋などの小物を確実に保持しておくことができ、しかも、愛嬌があって親しみ易い優れた意匠性をも備えた銜え機能を有する傘の変わり把手に関するものである。
【背景技術】
【０００２】
周知のとおり、傘は雨天時や日除けに使用される実用性の高い道具であって、使用頻度が高い身近な道具である。
【０００３】
ところで、かかる傘における基端側に配設される把手部材は、直棒状のものやＵ字型、Ｔ字型のものがあり（例えば、特許文献１参照）、手に馴染んで握り易い形状に成形されている。また、傘とは用途が異なるけれども、傘と同様に長手の道具であるステッキについても、基端側に把手部材が配設される点において共通する。
【０００４】
しかしながら、かかる把手部材にあっては、たとえ持ち易い形状に作製したとしても、それ自体は没個性的で意匠性に乏しく、傘やステッキが外出時の携行品として求められる装飾的要素を具備していないという不満がある。
【０００５】
また、外出時には手袋なども同時に装着する機会も多いのであるが、仮に把手部材に乗せておいたりすると、気付かぬうちに落ちてしまって、その手袋を置き忘れてしまうというおそれもあった。
【特許文献１】特開２００２−３２５６０７号公報（第２頁、第１−２図）
【考案の開示】
【考案が解決しようとする課題】
【０００６】
本考案は、従来の傘などの把手部材に上記のような問題があったことに鑑みて為されたものであり、その目的とするところは、持ち易い形状であると共に、手袋などの小物を確実に保持しておくことができ、しかも、愛嬌があって親しみ易い優れた意匠性をも備えた銜え機能を有する傘の変わり把手を提供することにある。
【課題を解決するための手段】
【０００７】
本考案者が上記課題を解決するために採用した手段を添付図面を参照して説明すれば次のとおりである。
【０００８】
即ち、本考案は、傘またはステッキの把手部に配設され、かつ、動物の頭首部を擬して作成された頭首型把手１であって、この頭首型把手１における口顎該当部位にはクリップ片２が配設されており、このクリップ片２の口顎部21を開閉可能に構成して、かつ、この口顎部21に閉口方向への付勢力を与える一方、
前記頭首型把手１の顎下部11ないし喉元部12の起伏形状をトリガー22として前記口顎部21を開閉操作することによって、前記口顎部21にクリップ式の銜え機能を付与するという技術的手段を採用した。
【０００９】
また、本考案は、上記課題を解決するために、必要に応じて上記手段に加え、クリップ片２のトリガー22が弾性バネ部材を内装したベルクランク構造から成るようにするという技術的手段を採用した。
【００１０】
更にまた、本考案は、上記課題を解決するために、必要に応じて上記手段に加え、頭首型把手１を木製彫刻にするという技術的手段を採用した。
【００１１】
更にまた、本考案は、上記課題を解決するために、必要に応じて上記手段に加え、頭首型把手１をプラスチック成形するという技術的手段を採用した。
【考案の効果】
【００１２】
本考案の変わり把手にあっては、把手部材を動物の頭首に擬して、その口顎部分をトリガーに利用して開閉操作を行うことにより、恰も愛玩動物が口を開閉して、小物を口に銜えているような愛嬌のある視覚的効果を醸し出すことができて意匠性に富み、かつ、かかる意匠性と小物保持機能とが巧みに統合している。
【００１３】
また、クリップ片をテーブルなどに挟んで固定しておくことにより、傘やステッキが床に転倒するのを防止し、お年寄りなどにとっては大変であった床からの拾い上げ動作の負担を軽減することもできることから、実用的価値は頗る高いものがあると云える。
【考案を実施するための最良の形態】
【００１４】
本考案の実施形態を具体的に図示した図面に基いて更に詳細に説明すると次のとおりである。
【００１５】
本考案の第１実施形態を図１から図６に基いて説明する。図中、符号１で指示するものは頭首型把手であり、この頭首型把手１は動物の頭首部を擬して作成されており、本実施形態では犬の頭首部を擬している（図１参照）。
【００１６】
また、符号２で指示するものはクリップ片であり、このクリップ片２は前記頭首型把手１における口顎該当部位に配設されている。
【００１７】
しかして、本考案は傘またはステッキの把手部材であり、まず、頭首型把手１を動物の頭首部を擬して作成する。本実施形態では、頭首型把手１を木製彫刻にすることができるけれども、プラスチック材料により、例えば、射出成形などで作製することもできる。
【００１８】
次に、前記頭首型把手１における口顎該当部位にクリップ片２を配設し、このクリップ片２の口顎部21を開閉可能に構成する（図２および３参照）。
【００１９】
この際、この口顎部21に閉口方向への付勢力を与える。本実施形態では、クリップ片２のトリガー22が弾性バネ部材を内装した略Ｌ字型のベルクランク構造から成り、屈曲部を枢軸23として揺動可能に配設されている。
【００２０】
そして、前記頭首型把手１の顎下部11ないし喉元部12の起伏形状をトリガー22として前記口顎部21を開閉操作することによって、前記口顎部21にクリップ式の銜え機能を付与したことにより、操作性の良さと口顎部の自然な動作を実現することができる（図４および５参照）。
【００２１】
こうして構成された把手は、手袋や手提げ袋、カバンなどの小物を確実に保持しておくことができ、しかも、恰も愛玩動物が口を開閉して、小物を口に銜えているような愛嬌のある視覚的効果を醸し出すことができるのである（図６参照）。
【００２２】
また、前記クリップ片２をテーブルなどに挟んで固定しておくことにより、傘やステッキが床に転倒するのを防止することができる。したがって、お年寄りなどにとっては、この転倒した傘を床から拾い上げるのは大変であったけれども、かかる動作の負担を軽減することもできる。
【００２３】
本考案は、概ね上記のように構成されるが、本考案は図示の実施形態に限定されるものでは決してなく、「実用新案登録請求の範囲」の記載内において種々の変更が可能であって、例えば、頭首型把手１は動物の頭首部を擬していれば、犬に限らず、猫や馬、鳥類、虫類などであっても良く、或いは、ロボットやキャラクターなどであっても良い。
【００２４】
また、クリップ片２における口顎部21の上面、即ち、口の中側に該当する箇所に、舌や歯などの図柄を着色することによって、より本物の動物に近く擬して、よりリアル感を醸し出すこともでき、何れのものも本考案の技術的範囲に属する。
【図面の簡単な説明】
【００２５】
【図１】本考案の実施形態品を表わす全体斜視図である。
【図２】本考案の実施形態品の構造を表わす部分説明側面図である。
【図３】本考案の実施形態品の構造を表わす部分正面図である。
【図４】本考案の実施形態品の構造を表わす部分説明側面図である。
【図５】本考案の実施形態品の構造を表わす部分正面図である。
【図６】本考案の実施形態品の使用状態を表わす部分側面図である。
【符号の説明】
【００２６】
１    頭首型把手
11      顎下部
12      喉元部
２    クリップ片
21      口顎部
22      トリガー
23      枢軸
Ｕ    傘本体
【図１】
0003107082.tif 000003
【図２】
0003107082.tif 000004
【図３】
0003107082.tif 000005
【図４】
0003107082.tif 000006
【図５】
0003107082.tif 000007
【図６】
0003107082.tif 000008